(57)【要約】【課題】  簡易に施工できるＵボルトを使用するものであっても、地震時等にＵボルト自体にかかるせん断方向応力を低減して、Ｕボルトの破断による配管の損傷を抑制することができること。【解決手段】  本発明の配管支持装置は、上記課題を解決するために、配管を支持する配管支持部と、該配管支持部に支持されている前記配管を支持体に固定するＵボルトとを備え、前記配管支持部は、前記配管と接触支持する台座部が水平方向の荷重を鉛直方向に分散させるＶ字状傾斜部を有し、該Ｖ字状傾斜部の中心部に切り込みが形成されていることを特徴とする。【選択図】図１
2017015142.tif 000002
【特許請求の範囲】
【請求項１】
配管を支持する配管支持部と、該配管支持部に支持されている前記配管を支持体に固定するＵボルトとを備え、
前記配管支持部は、前記配管と接触支持する台座部が水平方向の荷重を鉛直方向に分散させるＶ字状傾斜部を有し、該Ｖ字状傾斜部の中心部に切り込みが形成されていることを特徴とする配管支持装置。
【請求項２】
請求項１に記載の配管支持装置において、
前記Ｖ字状傾斜部は、前記配管を左右から挟み込むように形成されていることを特徴とする配管支持装置。
【請求項３】
請求項１又は２に記載の配管支持装置において、
前記配管支持部の端部に前記Ｕボルトを通すための貫通穴が形成されていると共に、前記Ｖ字状傾斜部に載せられた前記配管は、前記貫通穴を介して前記Ｕボルトで前記支持体に固定されていることを特徴とする配管支持装置。
【請求項４】
請求項１又は２に記載の配管支持装置において、
前記配管支持部の端部に前記Ｕボルトを嵌めるための溝が形成されていると共に、前記Ｖ字状傾斜部に載せられた前記配管は、前記溝を介して前記Ｕボルトで前記支持体に固定されていることを特徴とする配管支持装置。
【請求項５】
請求項１乃至４のいずれか１項に記載の配管支持装置において、
前記Ｕボルトでの前記配管の前記支持体への固定は、ナットによって行われていることを特徴とする配管支持装置。
【発明の詳細な説明】
【技術分野】
【０００１】
本発明は配管支持装置に係り、特に、配管をＵボルトによって構造物等の支持体に固定するものに好適な配管支持装置に関するものである。
【背景技術】
【０００２】
各種プラント施設においては、液体、気体等の流体を移送するため多くの配管が使用されており、その配管を構造物等の支持体に固定するため配管支持装置が使用されている。
【０００３】
この配管支持装置として各種実用化されているが、配管を構築物等の支持体に固定する場合には、一般的にはＵボルトが用いられている。
【０００４】
被固形物を固定するための作業を効率よく行うことができるＵボルト、及びこれを用いた被固形物の固定構造が特許文献１に記載されている。
【０００５】
この特許文献１には、Ｕボルトを用いた配管固定作業を、効率的に行うための固定治具を備えたＵボルトの構造が記載されている。特許文献１に記載されているＵボルトは、簡易に配管を固定することができるため、広くプラント施設の配管施工に用いられている。
【先行技術文献】
【特許文献】
【０００６】
【特許文献１】特開２０１４−２５４８９号公報
【発明の概要】
【発明が解決しようとする課題】
【０００７】
しかしながら、Ｕボルトのみでの配管支持の場合、地震などで横方向の荷重を受けた時、その横方向の荷重がＵボルトに直接かかることになり、ボルト締結部にせん断応力が発生してしまう。
【０００８】
そのため、小口径の配管の施工にＵボルトでの固定が利用されるものの、大径配管や高い耐震性が要求される配管には、スナッバやレストレントといった支持構造物が用いられていた。これらの支持構造物は、高い耐震性を有するものの施工には工数がかかる。
【０００９】
また、Ｕボルトを使用した配管支持構造を、高い耐震性が要求される箇所に適用するには、支持構造物への反力低減のため、Ｕボルトの取付け点数を増加させる必要があった。そのため、やはり工数の増加やコストの増加につながっていた。
【００１０】
本発明は上述の点に鑑みなされたもので、その目的とするところは、簡易に施工できるＵボルトを使用するものであっても、地震時等にＵボルト自体にかかるせん断方向応力を低減して、Ｕボルトの破断による配管の損傷を抑制することができる配管支持装置を提供することにある。
【課題を解決するための手段】
【００１１】
本発明の配管支持装置は、上記目的を達成するために、配管を支持する配管支持部と、該配管支持部に支持されている前記配管を支持体に固定するＵボルトとを備え、前記配管支持部は、前記配管と接触支持する台座部が水平方向の荷重を鉛直方向に分散させるＶ字状傾斜部を有し、該Ｖ字状傾斜部の中心部に切り込みが形成されていることを特徴とする。
【発明の効果】
【００１２】
本発明によれば、新たに配管支持構造物を設けずにＵボルトに対するせん断方向応力低減が図れると共に、地震時のＵボルトの破断による配管の損傷を抑制することができる。
【図面の簡単な説明】
【００１３】
【図１】本発明の配管支持装置の実施例１を示す正面図である
【図２】図１の側面図である。
【図３】本発明の配管支持装置の実施例２を示す正面図である
【図４】図３の側面図である。
【発明を実施するための形態】
【００１４】
以下、図示した実施例に基づいて本発明の配管支持装置を説明する。なお、各実施例において、同一構成部品には同符号を使用する。
【実施例１】
【００１５】
図１及び図２に、本発明の配管支持装置の実施例１を示す。
【００１６】
該図に示す如く、本実施例の配管支持装置１０は、配管２を支持する配管支持部３と、この配管支持部３に支持されている配管２を支持体である鋼構造物４に固定するＵボルト１とを備え、配管支持部３は、配管２と接触支持する台座部３ａが水平方向の荷重を鉛直方向に分散させるＶ字状傾斜部３ｂを有し、このＶ字状傾斜部３ｂの中心部に切り込み６が形成されている。
【００１７】
また、配管支持部３の端部には、Ｕボルト１を通すための貫通穴７が形成されており、Ｖ字状傾斜部３ｂに載せられた配管２は、貫通穴７を介してＵボルト１で鋼構造物４に固定されている。Ｕボルト１による配管２の鋼構造物４への固定は、ナット５を用いることにより行われる。
【００１８】
更に詳述すると、本実施例における配管支持部３は、配管２を支持するための台座部３ａを有し、この台座部３ａの形状は、水平方向の地震荷重を鉛直方向に分散させるためにＶ字状傾斜部３ｂを有し、本実施例では、４５度程度のＶ字状傾斜部３ｂで配管２を左右から挟みこむような形状を成している。また、Ｕボルト１を通すための貫通穴７を有しており、配管支持部３の台座部３ａに配管２を乗せて一体化し、Ｕボルト１で鋼構造物４にナット５で締結することができる構造となっている。また、配管支持部３の台座部３ａには切れ込み６を有しており、この切れ込み６の部分が、地震等による揺れを吸収し耐震性を高めている。
【００１９】
このような本実施例の構成とすることにより、水平方向の地震荷重を鉛直方向に分散させるためのＶ字状傾斜部３ｂを備えており、地震時にＵボルト１に配管２が接触する前にＶ字状傾斜部３ｂに配管２が接触するような形状となっていると共に、配管支持部３の台座部３ａには切れ込み６を有しており、この切れ込み６の部分が、地震等による揺れを吸収し耐震性を高めているため、新たに配管支持構造物を設けずにＵボルト１に対するせん断方向応力低減が図れると共に、地震時のＵボルト１の破断による配管の損傷を抑制することができる。
【実施例２】
【００２０】
図３及び図４に、本発明の配管支持装置の実施例２を示す。
【００２１】
該図に示す本実施例の配管支持装置１０は、実施例１で説明したようなＵボルト１を通すための貫通穴７を有しておらず、替わりにＵボルト１を嵌めるための溝８を、配管支持部３の端部に有している。そして、本実施例では、Ｕボルト１を鋼構造物４に据え付けた後に、事後的にＵボルト１に配管支持部３の溝８を嵌めて配管２を支持する構造となっている。他の構成は、実施例１と同様である。
【００２２】
このような本実施例の構成であっても、実施例１と同様な効果を得ることができる。
【００２３】
なお、本発明は上記した実施例に限定されるものではなく、様々な変形例が含まれる。即ち、上記した実施例は、本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００２４】
１…Ｕボルト、２…配管、３…配管支持部、３ａ…配管支持部の台座部、３ｂ…配管支持部のＶ字状傾斜部、４…鋼構造物、５…ナット、６…配管支持部の切れ込み部、７…貫通穴、８…溝、１０…配管支持装置。
【図１】
2017015142.tif 000003
【図２】
2017015142.tif 000004
【図３】
2017015142.tif 000005
【図４】
2017015142.tif 000006